(57)【要約】【課題】電気機器との接続に際して突出端子で表面を傷付けないようにする。【解決手段】一端に、装着部２に対して突出する方向に付勢された突出部７を、他端に、電気機器２０の装着に連動してスライドするスライド端１６ａを備えるスライド部１６と、スライド端１６ａのスライドによって傾動すると共に、装着部２に装着される電気機器２０の一方の充電端子２１に対して電気接続するための第一突出端子３Ａを設けた第一傾動部４Ａと、第一傾動部４Ａとリンクされており、第一傾動部４Ａの傾動に応じて略対称な姿勢に傾動する第二突出端子３Ｂを設けた第二傾動部４Ｂとを備えており、スライド部１６が、電気機器２０を装着部２に装着する際に、突出部７が押圧されることで、スライド端１６ａが第一傾動部４Ａ、及びこれとリンクされた第二傾動部４Ｂを傾動させ、第一突出端子３Ａ及び第二突出端子３Ｂを、それぞれ充電端子２１に接続するよう構成する。【選択図】図６
2012055122.tif 000002
【特許請求の範囲】
【請求項１】
一対の充電端子(21)を備える電気機器(20)を装着して、該充電端子(21)と電気接続することで該電気機器(20)を充電可能な充電器であって、
電気機器(20)を装着するための装着部(2)を設けたケース(1)と、
一端に、前記装着部(2)に対して突出する方向に付勢された突出部(7)を、他端に、前記装着部(2)に電気機器(20)が装着されると、前記突出部(7)が付勢力に抗して押し込まれることに連動してスライドするスライド端(16a)を備えるスライド部(16)と、
前記ケース(1)に第一傾動軸(9A)を介して傾動自在に取り付けられ、前記スライド端１(16a)のスライドによって傾動すると共に、前記装着部(2)に装着される電気機器(20)の一方の充電端子(21)に対して電気接続するための第一突出端子(3A)を設けた第一傾動部(4A)と、
前記ケース(1)に、前記第一傾動軸(9A)と離間して設けられた第二傾動軸(9B)を介して傾動自在に取り付けられ、かつ前記第一傾動部(4A)とリンクされており、前記第一傾動部(4A)の傾動に応じて略対称な姿勢に傾動すると共に、前記装着部(2)に装着される電気機器(20)の他方の充電端子(21)に対して電気接続するための第二突出端子(3B)を設けた第二傾動部(4B)と、
を備えており、
前記スライド部(16)が、電気機器(20)を装着部(2)に装着する際に、前記突出部(7)が押圧されることで、前記スライド端１(16a)が前記第一傾動部(4A)、及びこれとリンクされた前記第二傾動部(4B)を傾動させ、前記第一突出端子(3A)及び第二突出端子(3B)を、それぞれ充電端子(21)に接続するよう構成してなることを特徴とする充電台。
【請求項２】
請求項１に記載の充電台であって、
前記スライド部(16)が、電気機器(20)を前記装着部(2)に装着する際に、前記突出部(7)が押圧され始めるタイミングから、前記第一突出端子(3A)及び第二突出端子(3B)を、それぞれ充電端子(21)に接続するタイミングを遅延させる遅延手段を備えてなることを特徴とする充電台。
【請求項３】
請求項２に記載の充電台であって、
前記遅延手段が、電気機器(20)を前記装着部(2)に装着する際に前記突出部(7)が押し込まれる動作を、前記スライド部(16)を介して前記第一傾動部(4A)と第二傾動部(4B)の傾動動作に変換する変換機構であることを特徴とする充電台。
【請求項４】
請求項２又は３に記載の充電台であって、
前記遅延手段が、前記スライド部(16)の長さによって、前記突出部(7)が押圧されるタイミングから、前記第一突出端子(3A)及び第二突出端子(3B)を充電端子(21)に接続するタイミングまでの遅延を規定してなることを特徴とする充電台。
【請求項５】
請求項１から４のいずれか一に記載の充電台であって、
前記第一傾動部(4A)が、前記スライド部(16)のスライド端１(16a)によって当接される傾動端(17)を備えてなることを特徴とする充電台。
【請求項６】
請求項５に記載の充電台であって、
前記スライド部(16)のスライド端１(16a)と前記第一傾動部(4A)の傾動端(17)との間に隙間を設けてなることを特徴とする充電台。
【請求項７】
請求項１から６のいずれか一に記載の充電台であって、
前記突出部(7)が傾斜面(7a)を有しており、
電気機器(20)を前記装着部(2)に装着する際に、該電気機器(20)が前記傾斜面(7a)に押し当てられると、前記スライド部(16)が電気機器(20)の押圧方向と交差する方向にスライドするよう構成されてなることを特徴とする充電台。
【請求項８】
請求項１から７のいずれか一に記載の充電台であって、
前記装着部(2)は、電気機器(20)の背面を載置するよう、該電気機器(20)の外形に従った形状に形成されており、かつ前記装着部(2)の周辺には、該電気機器(20)の周囲を少なくとも部分的に囲むように周壁が設けられてなることを特徴とする充電台。
【請求項９】
請求項８に記載の充電台であって、
前記周壁が、前記装着部(2)を略矩形状に、部分的に区画しており、
前記突出部(7)が、前記周壁の内、短辺側の周壁に設けられてなり、
前記第一突出端子(3A)及び第二突出端子(3B)が、前記周壁の内、長辺側の周壁(26)であって、前記突出部(7)を設けた短辺側周壁(24)よりも、これと対向する短辺側の周壁(25)に近い側に設けられてなることを特徴とする充電台。
【請求項１０】
請求項９に記載の充電器であって、さらに、
前記突出部(7)を設けた短辺側の周壁と対向する周壁の上端に、電気機器(20)を水平方向に前記装着部(2)に案内する一方、上方から垂直に電気機器(20)を装着することを阻害する誤挿入防止リブ(23)を設けてなることを特徴とする充電器。
【請求項１１】
請求項１から１０のいずれか一に記載の充電台であって、さらに、
電気機器(20)の装着を検出するための検出スイッチ(30)を、前記装着部(2)に設けてなることを特徴とする充電台。
【発明の詳細な説明】
【技術分野】
【０００１】
本発明は、主として携帯電話などの電気機器をセットして充電する充電台に関する。
【背景技術】
【０００２】
充電台は、装着される電気機器の充電端子に接触される正負の出力端子部を備えている。正負の出力端子部に金属が接触してショートすると、大きなショート電流が流れる。また、正負の出力端子部の電圧が高い場合には、濡れた手で接触すると感電する可能性もある。また、電圧が低い場合でも、長時間接触すると低温やけどを被るおそれがある。この弊害を解消するために、電気機器を装着しない状態では、出力端子部をケース内に収納する充電台が開発されている（特許文献１参照）。
【０００３】
この公報に記載される充電台を図１６ないし図２０に示す。この充電台は、電気機器４０を嵌合して装着する凹状の装着部３２を有するケース３１と、装着部３２に電気機器４０が装着されたことを検知する装着検知部３０と、電気機器４０が装着部３２に装着されたとき、電気機器４０に設けられた充電端子４１と接触し、電気機器４０に内蔵される二次電池に充電電圧を印加するための一対の出力端子部３３Ａを備える。出力端子部３３Ａは、ケース３１内に配設されて、ケース３１に設けられた端子窓３５から装着部３２に突出するように設けられている。装着検知部３０は、ケース３１内に軸支され、一端の突出部３７が装着部３２の底面に設けられた貫通孔３６を貫通して突出する傾動体３４と、傾動体３４の突出部３７を突出方向に付勢するスプリング線３３とを備える。電気機器４０が装着され、傾動体３４の一端がスプリング線３３の付勢力に抗して押し下げられたとき、傾動体３４の回転に連動して出力端子部３３Ａを端子窓３５から装着部３２に押し出して、電気機器４０の充電端子４１と接触させる。
【０００４】
さらに、この充電台は、装着検知部３０の傾動体３４を、左右に分割して独立に回転支持している。この左右の傾動体３４が押されることにより出力端子部３３Ａが端子窓３５から装着部３２に押し出されるようにしている。この構造の充電台は、左右に分割された個々の傾動体３４を独立して傾動させるので、左右両側の傾動体３４をバランスして均等な力で押し下げたときのみ、２つの出力端子部３３Ａが安定して電気機器４０の充電端子４１に接触する。左右両側の傾動体がアンバランスに押し下げられると、両方の出力端子部を安定して電気機器の充電端子に接触できない欠点がある。また、この充電台は、長期間にわたって安定して出力端子部３３Ａを電気機器４０の充電端子４１に接触して確実に充電するのが難しくなる欠点がある。それは、出力端子部３３Ａと充電端子４１の表面や汚れ等によって確実に接触できなくなるからである。さらに、以上の構造の充電台は、正負の出力端子部３３Ａを突出させるメカニズムが複雑になる欠点もある。
【０００５】
このような欠点を回避する構造として、図２１に示す構造（特許文献２）や、図２２に示す構造（特許文献３）の充電台が開発されている。図２１に示す充電台は、装着部４２を有するケース４５と、端子部を有する一対のスプリング線４３と、各々のスプリング線４３に連結されて、ケース４５内に傾動自在に配設している一対の傾動体４４を備える。傾動体４４は、一端に突出部４７を設けて他端を連結端４８として、連結端４８を互いに傾動自在であって長手方向に移動自在に連結して一対の傾動体４４を直線状に配列している。各々の傾動体４４は、同一のてこ比となるように中間を支点として、支点と連結端４８の間に端子を構成するスプリング線４３を配設している。この充電台は、電気機器２０が装着されない状態では、突出部４７が装着部４２に突出して、傾動体４４がスプリング線４３の端子部をケース４５内の引き込み位置とし、電気機器２０が装着されて突出部４７が押されると、傾動体４４が傾動して、スプリング線４３の端子部がケースの装着部４２に突出する。
【０００６】
また図２２に示す充電台の端子部分は、スプリング線５３と傾動体５４とシーソー片５５とを備えている。充電装置は、装着部に携帯機器が装着されない状態では、シーソー片５５が両端の突出部５７を装着部に突出させて、傾動体５４が出力端子部をケース内の引き込み位置としている。さらに、シーソー片５５の一方の突出部５７がケース内に向かって押し込まれて、他方の突出部５７が装着部に突出される状態においては、傾動体５４が出力端子部をケース内に引き込み位置としている。さらにまた、装着部に携帯機器が装着されて、シーソー片５５の両端部の突出部５７が押されると、シーソー片５５が中間で傾動体５４を押して、出力端子部をケース外に突出させる。
【先行技術文献】
【特許文献】
【０００７】
【特許文献１】特開２００３−９４０９号公報
【特許文献２】特開２００９−１００４９２号公報
【特許文献３】特開２００６−５０７５８号公報
【発明の概要】
【発明が解決しようとする課題】
【０００８】
これらの構造の充電台は、端子部と押圧部とが同じ側に設けられた充電台においては有効であるが、これらを異なる位置、例えば直交する２辺に端子部と押圧部とをそれぞれ設ける充電台に適用することはできない。特に近年では、デザイン的な要求から、電気機器の充電端子を底面側でなく側面側に設けることも多く、このような構造でも対応できる柔軟な構造が求められる。
【０００９】
さらに、上記の充電台はいずれも電気機器の挿入によって突出部が押し下げられ、ピボット軸を中心に回動することによってスプリング線を押し上げる構造となっている。このため、これらの構造を採用する充電台では、いずれも突出部の押し下げと連動して直ちにスプリング線が突出する構造となる。この結果、構造上突出部とスプリング線との位置が近い配置においては、電気機器の押し下げとほぼ同時にスプリング線が突出することがある。
【００１０】
ただ、電気機器を充電台にセットする態様によっては、例えば電気機器を充電台の上面で滑らせながらセットするようなこともあり、この場合において、突出部を押し下げてスプリング線を突出させた状態で電気機器をスライドさせると、突出したスプリング線が電気機器の表面に接触して引っ掻くような状態となって、スクラッチ傷が生じる可能性があった。特に電気機器を縦長にセットするような状態では、このような状態が顕著となる。
【００１１】
本発明は、従来のこのような問題点を解決するためになされたものであり、その主な目的は、電気機器との接続に際して突出端子で電気機器の表面を傷付ける事態を回避しうる充電器を提供することにある。
【課題を解決するための手段及び発明の効果】
【００１２】
上記目的を達成するために、本発明の第１の側面に係る充電台によれば、一対の充電端子２１を備える電気機器２０を装着して、該充電端子２１と電気接続することで該電気機器２０を充電可能な充電器であって、電気機器２０を装着するための装着部２を設けたケース１と、一端に、前記装着部２に対して突出する方向に付勢された突出部７を、他端に、前記装着部２に電気機器２０が装着されると、前記突出部７が付勢力に抗して押し込まれることに連動してスライドするスライド端１６ａを備えるスライド部１６と、前記ケース１に第一傾動軸９Ａを介して傾動自在に取り付けられ、前記スライド端１６ａのスライドによって傾動すると共に、前記装着部２に装着される電気機器２０の一方の充電端子２１に対して電気接続するための第一突出端子３Ａを設けた第一傾動部４Ａと、前記ケース１に、第一傾動軸９Ａと離間して設けられた第二傾動軸９Ｂを介して傾動自在に取り付けられ、かつ前記第一傾動部４Ａとリンクされており、前記第一傾動部４Ａの傾動に応じて略対称な姿勢に傾動すると共に、前記装着部２に装着される電気機器２０の他方の充電端子２１に対して電気接続するための第二突出端子３Ｂを設けた第二傾動部４Ｂとを備えており、前記スライド部１６が、電気機器２０を装着部２に装着する際に、前記突出部７が押圧されることで、前記スライド端１６ａが前記第一傾動部４Ａ、及びこれとリンクされた前記第二傾動部４Ｂを傾動させ、前記第一突出端子３Ａ及び第二突出端子３Ｂを、それぞれ充電端子２１に接続するよう構成できる。これにより、電気機器を装着部に装着する動作を利用し、スライド部によるスライド移動を傾動に変換して、突出端子を電気機器の充電端子に確実に接続できる利点が得られる。
【００１３】
また第２の側面に係る充電台によれば、前記スライド部１６が、電気機器２０を前記装着部２に装着する際に、前記突出部７が押圧され始めるタイミングから、前記第一突出端子３Ａ及び第二突出端子３Ｂを、それぞれ充電端子２１に接続するタイミングを遅延させる遅延手段を備えることができる。これにより、電気機器を装着部に装着する際に、直ちに第一突出端子及び第二突出端子を突出させず、その突出タイミングを遅らせることによって、第一突出端子及び第二突出端子で電気機器の表面を意図せず傷付ける事態を回避できる。
【００１４】
さらに第３の側面に係る充電台によれば、前記遅延手段が、電気機器２０を前記装着部２に装着する際に前記突出部７が押し込まれる動作を、前記スライド部１６を介して前記第一傾動部４Ａと第二傾動部４Ｂの傾動動作に変換する変換機構とできる。これにより、スライド部を付加することで第一突出端子及び第二突出端子の突出動作を遅延させることができる。
【００１５】
さらにまた第４の側面に係る充電台によれば、前記遅延手段が、前記スライド部１６の長さによって、前記突出部７が押圧されるタイミングから、前記第一突出端子３Ａ及び第二突出端子３Ｂを充電端子２１に接続するタイミングまでの遅延を規定できる。これによって、スライド部の長さを調整して、遅延タイミングを変更でき、さらに長さの異なる充電台に対しても、最適な遅延タイミングに設定できる。
【００１６】
さらにまた第５の側面に係る充電台によれば、前記第一傾動部４Ａが、前記スライド部１６のスライド端１６ａによって当接される傾動端１７を備えることができる。これにより、スライド端で傾動端を当接して、スライド端のスライド移動を第一傾動部の傾動に変換できる。
【００１７】
さらにまた第６の側面に係る充電台によれば、前記スライド部１６のスライド端１６ａと前記第一傾動部４Ａの傾動端１７との間に隙間を設けることができる。これにより、隙間がある分、突出部が電気機器で押されて第一傾動部及び第二傾動部が作動し始めるまでに遅れを生じさせることができ、この結果第一突出端子及び第二突出端子が突出するタイミングを遅らせて、電気機器表面が第一突出端子及び第二突出端子で傷付くことを回避できる。
【００１８】
さらにまた第７の側面に係る充電台によれば、前記突出部７が傾斜面７ａを有しており、電気機器２０を前記装着部２に装着する際に、該電気機器２０が前記傾斜面７ａに押し当てられると、前記スライド部１６が電気機器２０の押圧方向と交差する方向にスライドするよう構成できる。これにより、電気機器の装着に際して、装着方向と交差する方向にスライド部をスライドさせるよう、容易に運動方向を変換できる。
【００１９】
さらにまた第８の側面に係る充電台によれば、前記装着部２は、電気機器２０の背面を載置するよう、該電気機器２０の外形に従った形状に形成されており、かつ前記装着部２の周辺には、該電気機器２０の周囲を少なくとも部分的に囲むように周壁を設けることができる。これにより、電気機器を装着部に載置すると、この電気機器を周壁で囲むように保持され、安定的に電気機器を充電台に保持できる。
【００２０】
さらにまた第９の側面に係る充電台によれば、前記周壁が、前記装着部２を略矩形状に、部分的に区画しており、前記突出部７が、前記周壁の内、短辺側の周壁に設けられてなり、前記第一突出端子３Ａ及び第二突出端子３Ｂが、前記周壁の内、長辺側の周壁２６であって、前記突出部７を設けた短辺側周壁２４よりも、これと対向する短辺側の周壁２５に近い側に設けることができる。これにより、装着部において突出部と第一突出端子及び第二突出端子とが離間された位置に配置され、突出部を設けたスライド部のストロークを長くできるので、第一突出端子及び第二突出端子を突出されるタイミングを遅延させる構造を得やすくできる。
【００２１】
さらにまた第１０の側面に係る充電台によれば、さらに、前記突出部７を設けた短辺側の周壁と対向する周壁の上端に、電気機器２０を水平方向に前記装着部２に案内する一方、上方から垂直に電気機器２０を装着することを阻害する誤挿入防止リブ２３を設けることができる。これにより、先に誤挿入防止リブを設けた周壁に電気機器を挿入した状態で、電気機器を突出部に押し当てるようにして装着部に装着することを規定すると共に、逆に先に突出部に挿入した状態で、いいかえると第一突出端子及び第二突出端子を突出させた状態で電気機器を押し込むことにより、突出した第一突出端子及び第二突出端子で電気機器表面を傷付ける事態を回避できる。
【００２２】
さらにまた第１１の側面に係る充電台によれば、さらに電気機器２０の装着を検出するための装着検知部３０を、前記装着部２に設けることができる。これにより、電気機器の装着を検出した後、充電などの通電を行い、非装着時には通電を停止することで、意図しない通電などを回避でき安全性を高めることができる。
【図面の簡単な説明】
【００２３】
【図１】充電台を示す外観斜視図である。
【図２】図１の充電台を後方から見た斜視図である。
【図３】充電台に電気機器をセットする状態を図１のＩＩＩ−ＩＩＩ線から見た垂直断面図である。
【図４】図３の電気機器を充電台にセットし終えた状態を示す垂直断面図である。
【図５】図４のＶ−Ｖ線における水平断面図である。
【図６】図１の分解斜視図である。
【図７】スライド部とリンク機構の連携動作を示す斜視図である。
【図８】図６のスライド部とリンク機構を示す拡大斜視図である。
【図９】図８の状態からスライド部を移動させた状態を示す拡大斜視図である。
【図１０】図９の第一傾動部と第二傾動部で構成されたリンク機構を背面から見た模式図である。
【図１１】図１０のリンク機構の動作を示す模式図である。
【図１２】電気機器を装着しない状態の装着部を示す平面図である。
【図１３】図１２の状態におけるスライド部とリンク機構の姿勢を示す水平断面図である。
【図１４】図１２の状態から電気機器を装着した際の突出部と突出端子の位置を示す平面図である。
【図１５】図１４の状態におけるスライド部とリンク機構の姿勢を示す水平断面図である。
【図１６】従来の充電台の斜視図である。
【図１７】図１６に示す充電台の装着検知部の斜視図である。
【図１８】図１６に示す充電台の垂直縦断面図である。
【図１９】図１８に示す充電台に携帯機器を装着する状態を示す断面図である。
【図２０】図１８に示す充電台に携帯機器を装着した状態を示す断面図である。
【図２１】従来の他の充電台の装着部に携帯機器を装着する状態を示す断面図である。
【図２２】従来のさらに別の充電台の装着部を示す斜視図である。
【発明を実施するための形態】
【００２４】
以下、本発明の実施の形態を図面に基づいて説明する。ただし、以下に示す実施の形態は、本発明の技術思想を具体化するための充電台を例示するものであって、本発明は充電台を以下のものに特定しない。特に本明細書は、特許請求の範囲を理解し易いように、実施の形態に示される部材に対応する番号を、「特許請求の範囲の欄」、及び「課題を解決するための手段の欄」に示される部材に付記しているが、特許請求の範囲に示される部材を、実施の形態の部材に特定するものでは決してない。特に実施の形態に記載されている構成部材の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。
【００２５】
図１〜図１５に、本発明の実施の形態に係る受電台を示す。これらの図において、図１は充電台１００の外観斜視図、図２は図１の充電台１００を後方から見た斜視図、図３は充電台１００に電気機器２０をセットする状態を図１のＩＩＩ−ＩＩＩ線から見た垂直断面図、図４は図３の電気機器２０を充電台１００にセットし終えた状態を示す垂直断面図（図５のＩＶ−ＩＶ線断面図に相当）、図５は図４のＶ−Ｖ線における水平断面図、図６は図１の分解斜視図、図７はスライド部１６とリンク機構の連携動作を示す斜視図、図８は図６のスライド部１６とリンク機構を示す拡大斜視図、図９は図８の状態からスライド部１６を移動させた状態を示す拡大斜視図、図１０は図９の第一傾動部４Ａと第二傾動部４Ｂで構成されたリンク機構を背面から見た模式図、図１１は図１０のリンク機構の動作を示す模式図、図１２は電気機器２０を装着しない状態の装着部２を示す平面図、図１３は図１２の状態におけるスライド部１６とリンク機構の姿勢を示す水平断面図、図１４は図１２の状態から電気機器２０を装着した際の突出部７と第一突出端子３Ａ及び第二突出端子３Ｂの位置を示す平面図、図１５は図１４の状態におけるスライド部１６とリンク機構の姿勢を示す水平断面図を、それぞれ示している。
【００２６】
図１〜図５に示す充電台１００は、充電可能な二次電池を内蔵する電気機器２０を脱着できるように装着して、内蔵している電池を充電する。電気機器２０は携帯電話である。ただ本発明は、二次電池を内蔵する電気機器を携帯電話に特定するものでなく、例えば携帯音楽プレーヤやデジタルカメラ、スマートフォン、携帯側ゲーム機等、二次電池を内蔵している種々の電気機器とすることができる。
【００２７】
充電台１００は、図６に示すように、充電可能な二次電池を内蔵する電気機器２０を嵌合状態で脱着できるように装着する装着部２を有するケース１と、このケース１内に設けられて、装着部２にセットされる電気機器２０の充電端子２１に接触される端子部３ａを有する一対の突出端子３Ａ、３Ｂと、各突出端子３Ａ、３Ｂをそれぞれ連結する第一傾動部４Ａ及び第二傾動部４Ｂで構成される傾動体４と、この傾動体４と連動するスライド部１６とを備える。
【００２８】
スライド部１６は、その一端部に、電気機器２０に押される突出部７を有し、他端部には、傾動体４の一方を傾動させるスライド端１６ａを有している。また第一傾動部４Ａ及び第二傾動部４Ｂは、それぞれ回転軸を中心に傾動するよう、ケース１内に傾動自在に固定されている。さらに傾動体４の一方が傾動されると、これに連動して他方も傾動されるように、傾動体４を構成する第一傾動部４Ａ及び第二傾動部４Ｂは傾動がリンクするように互いに連結されている。この充電台１００は、電気機器２０を装着部２に装着しようとすると、突出部７が押し出されて、これによりスライド部１６がスライドしてスライド端１６ａを移動させ、スライド端１６ａと当接された第一傾動部４Ａが傾動し、これに応じて第二傾動部４Ｂも傾動され、第一傾動部４Ａ及び第二傾動部４Ｂにそれぞれ設けられた第一突出端子３Ａ及び第二突出端子３Ｂが、充電端子２１に対して突出し、充電台１００と電気機器２０とを電気的に接続する。
【００２９】
さらに充電台１００は、ＡＣアダプタＡＣと接続するコネクタ差し込み口２９を設けている。このコネクタ差し込み口２９にＡＣアダプタＡＣのコネクタを差し込み、ＡＣアダプタＡＣのプラグを商用電源に接続して、商用電源から電力を得て、電気機器２０の二次電池を充電する。またこの充電台１００は、ケース１に充電回路を内蔵している。充電回路は、回路基板２８に実装される。また回路基板２８は、複数のリード線によって、各第一突出端子３Ａ及び第二突出端子３Ｂと接続される。ただ、本発明の充電台は、ケースに必ずしも充電回路を設ける必要ない。外部に設けている充電回路にリード線を介して接続することもできる。充電回路を内蔵しない充電台は、外部の充電回路に接続されて、電気機器２０の電池を充電する。
（装着部２）
【００３０】
図１、図２に示す充電台１００は、ケース１の上面に装着部２を設けている。装着部２は、ケース１の上面に設けた上方を開口している凹部である。電気機器２０は、凹部の装着部２に嵌着、装着されて定位置にセットされる。図の装着部２は、携帯電話２０を、その背面を保持する姿勢でセットする形状としている。
【００３１】
電気機器２０は、自重で凹部の装着部２に装着される。さらに、図１のケース１は、装着部２にセットした電気機器２０を抜けないように引っかけて係止する一対の係止フック１２を設けている。係止フック１２は、図６に示すように、上端に引掛部１２ａを有し、下端を傾動できるようにケース１に連結している。この係止フック１２は、コイルバネからなる押出バネ１３でもって、上端の引掛部１２ａを装着部２から弾性的に突出させている。図のケース１は、一対の係止フック１２を、装着部２の両側端部に設けて、係止フック１２の引掛部１２ａを装着部２から弾性的に突出するようにしている。係止フック１２は、図２に示す装着部２にセットされる電気機器２０の端面に設けている係止凹部２２に弾性的に案内されて、電気機器２０を装着部２の定位置にセットして保持する。
【００３２】
ケース１は、下方を開口している上ケース１Ａと、この上ケース１Ａの下方開口部を閉塞している下ケース１Ｂとからなる。上ケース１Ａと下ケース１Ｂは、プラスチック等の樹脂を成形して製作される。上ケース１Ａの上面には、凹部を設けて装着部２としている。上ケース１Ａは、装着部２となる凹部の底面に、ケース１に内蔵している第一突出端子３Ａ及び第二突出端子３Ｂの端子部３ａを外部に突出させる端子窓５と、スライド部１６の突出部７を装着部２において突出させる貫通孔６を開口している。端子窓５と貫通孔６は２つずつ設けられる。２つの端子窓５は、正負の端子部３ａを装着部２に突出させる。また２つの貫通孔６は、第一傾動部４Ａ及び第二傾動部４Ｂの一端に設けている突出部７を装着部２に突出させる。図１の充電台１００は、ケース１に設けられた装着部２の底面に、端子窓５と貫通孔６を開口して、第一突出端子３Ａ及び第二突出端子３Ｂの端子部３ａと、スライド部１６の突出部７を底面から突出させている。
（周壁）
【００３３】
この装着部２は、電気機器２０の背面とほぼ一致する形状に形成されており、図１の例では矩形状で、かつ電気機器２０の底面及び天面、並びに電極端子を設けた側面の一部を被覆するよう、周壁を設けている。このように周壁を装着部２の全周を囲むように設けないことで、部分的に開口して電気機器２０の着脱、特に取り外しに際して、電気機器２０をユーザが手で把持し易くして、着脱作業を容易にできる。また、周囲を囲まないことで、万一装着部に水が侵入しても、水が周壁内に溜まることなく、囲まれずに開放している部位から排水し易くできる。特に図１の例では、装着部２の長辺側に設けられた周壁を、長辺の約半分の長さとして、かつ周壁を設けない切り欠き部分には凹部を設けることによって、装着部に水が侵入しても、この凹部から外部に排出され易くしている。
【００３４】
さらに図１の例では、周壁の内、短辺側の周壁（電気機器２０の底面側）に突出部７を配置しており、一方第一突出端子３Ａ及び第二突出端子３Ｂは、周壁の内、長辺側の周壁２６（電気機器２０の側面側）に配置している。特に長辺側の周壁２６は、突出部７を設けた短辺側周壁２４でなく、これと対向する短辺側の周壁である第二短辺側周壁２５と連続するように設けている。そしてスプリング部も、突出部７よりも遠い側に配置している。このように配置することで、突出部７と第一突出端子３Ａ及び第二突出端子３Ｂとを離間させ、突出部７を設けたスライド部１６を第一傾動部４Ａと連動させるためのストロークを長くできるので、その分、第一突出端子３Ａ及び第二突出端子３Ｂを突出されるタイミングを遅延させやすくできる利点が得られる。
（誤挿入防止リブ２３）
【００３５】
さらに図１に示すように、突出部７を設けた短辺側周壁２４と対向する第二短辺側周壁２５には、その上端に、誤挿入防止リブ２３を設けている。誤挿入防止リブ２３は、図３に示すように、電気機器を水平方向に装着部に案内する一方、上方から垂直に電気機器を装着することを阻害する。これにより、先に誤挿入防止リブ２３を設けた周壁に電気機器を挿入した状態で、電気機器を突出部７に押し当てるようにして装着部に装着することを規定すると共に、逆に先に突出部７に挿入した状態で、いいかえると突出端子を突出させた状態で電気機器を押し込むことにより、突出した突出端子で電気機器表面を傷付ける事態を回避できる。いいかえると、誤って先に手前から挿入して、電極端子を突出させたまま電気機器が挿入されて電気機器表面を電極端子で傷付ける事態を回避でき、電気機器を保護できる利点が得られる。
（装着検知部３０）
【００３６】
さらに装着部には、電気機器の装着を検出するための装着検知部３０を設けてもよい。装着検知部３０で、電気機器の装着が検出されたときに、充電回路が作動するように構成することで、電気機器の非装着時には充電回路を作動させず、意図しない充電を回避して誤動作を防止できる。このような装着検知部３０には、電気機器の装着時にＯＮ又はＯＦＦするマイクロスイッチなどが利用できる。また装着検知部３０は、好ましくは図２、図５に示すように、第二短辺側周壁２５に設ける。これにより、図３に示すように先に電気機器を挿入することで、確実に装着検知部３０を作動できる。
（スライド部１６）
【００３７】
スライド部１６は、一端に突出部７を設け、他端にスライド端１６ａを備える。このスライド部１６は図６、図７などに示すように全体をＬ字状とし、後端を折曲することでスライド端１６ａを形成している。スライド端１６ａの先端は湾曲又は面取りすることにより、後述する第一傾動部４Ａの傾動端１７に対してスムーズに当接できる。またスライド端１６ａは、突出部７を突出する方向に、ばね等により付勢しており、図１２などに示すように、通常状態で突出部７を装着部２に突出させ、かつ第一突出端子３Ａ及び第二突出端子３Ｂを収納している。このスライド部１６は、例えば絶縁性に優れたプラスチックなどの樹脂で一体的に成型される。
（突出部７）
【００３８】
この例では、突出部７を２つ設けている。突出部７を複数設けることで、より安定的な動作が期待できる。ただ、突出部を１つのみとしたり、３以上とすることも可能であることはいうまでもない。また突出部７は、電気機器２０と当接する面を傾斜面７ａとしている。これによって、電気機器２０を装着部２に装着する際に突出部７が押し込まれる動作を、電気機器２０のエッジ部分が傾斜面７ａに沿って下方に滑るように摺動され、この結果押し込みの垂直方向の動作を、スライド部１６の水平移動に変換できる。また上述の通り、突出部７とスライド端１６ａとは、図６、図７、図８、図９に示すように、約９０°交差するように配置している。これによって、短辺側周壁２４、すなわち電気機器２０の底面側での動作を、長辺側周壁、すなわち電気機器２０の側面側での動作に変換できる。
（遅延手段）
【００３９】
このスライド部１６は、電気機器を装着部に装着する際に、突出部７が押圧され始めるタイミングから、第一突出端子及び第二突出端子を、それぞれ充電端子に接続するタイミングを遅延させる遅延手段を構成している。すなわち、電気機器を装着部に装着する際に、突出端子を直ちには突出させず、その突出タイミングを遅らせる機構としている。このようにすることで、突出端子で電気機器の表面を意図せず傷付けることを防止できる。このような遅延手段として、具体的には、図２０〜図２２に示す従来構造のように、突出部７の押し込み動作を、突出端子を設けた傾動体に直接伝達せず、一旦スライド部１６を介在させ、かつこのスライド部１６をストロークを長く構成することによって、スライド部１６を介した押し込み動作を傾動動作に変換する機構とし、動作の遅延を生じさせている。このように、スライド部１６を付加するという比較的単純な構成によって、突出端子の突出動作の遅延を付加することができ、効果的に電気機器の保護機能を追加できる。
【００４０】
また、このようにスライド部１６を追加する構成によれば、スライド部１６の長さを変化させることで、突出部７が押圧されるタイミングから、第一突出端子及び第二突出端子を充電端子に接続するタイミングまでの遅延時間を調整できる。さらにこのことは、長さの異なる充電台に対しても、スライド部１６の長さを適切に選択することで、充電台の長さに応じた遅延時間に設定できるという利点ともなる。
【００４１】
さらに、スライド部１６のスライド端１６ａと第一傾動部の傾動端１７との間に隙間を設けてもよい。外力を加えない、すなわち電気機器をセットしない通常状態で隙間を設けることで、装着時に突出部７が電気機器で押されて傾動体４が作動し始めるまで、隙間分だけ遅れを生じさせることができる。これにより突出端子が突出するタイミングを遅らせて、電気機器表面が突出端子で傷付くことを回避できる。
（第一傾動部４Ａ及び第二傾動部４Ｂ）
【００４２】
さらにケース１は、図６〜図９に示すように、傾動体４として第一傾動部４Ａ及び第二傾動部４Ｂを、それぞれ傾動自在に固定している。第一傾動部４Ａ及び第二傾動部４Ｂは、電気機器の充電端子と電気接続するための第一突出端子３Ａと第二突出端子３Ｂを、それぞれ設けている。これら第一傾動部４Ａ及び第二傾動部４Ｂは、スライド部１６のスライドによって傾動され、第一突出端子３Ａ及び第二突出端子３Ｂを端子窓５から表出させる。さらに第一傾動部４Ａは、スライド部１６のスライド端１６ａで当接される傾動端１７を設けている。これにより、電気機器を装着部に装着する際に、突出部７が押圧されることで、スライド部１６のスライド端１６ａが傾動端１７に当接され、スライド端１６ａのスライド移動を第一傾動部４Ａの傾動として伝達し、第一傾動部４Ａの傾動に連動して第二傾動部４Ｂも傾動し、第一突出端子３Ａ及び第二突出端子３Ｂが電気機器の充電端子に接触される。
【００４３】
ケース１の内部には、第一傾動部４Ａ及び第二傾動部４Ｂの傾動軸９である第一傾動軸９Ａ、第二傾動軸９Ｂを、回転できるように支持する支持部を一体的に成形して設けている。支持部は、上ケース１Ａの内面に突出して設けられた支持リブ（図示せず）である。支持リブは、その先端に、第一傾動部４Ａ及び第二傾動部４Ｂの第一傾動軸９Ａ、第二傾動軸９Ｂを回転できるように案内する半円形の凹部を設けている。第一傾動部４Ａ及び第二傾動部４Ｂは、図６〜図１１に示すように、各々の中央に第一傾動軸９Ａ、第二傾動軸９Ｂを設けている。また第一傾動軸９Ａ、第二傾動軸９Ｂを支持するために、支持リブが第一傾動部４Ａ及び第二傾動部４Ｂの両側に配設されて、第一傾動部４Ａ及び第二傾動部４Ｂの両側に設けている第一傾動軸９Ａ、第二傾動軸９Ｂを回転できるように支持する。
【００４４】
第一傾動部４Ａ及び第二傾動部４Ｂは、直線状に連結されて、ケース１に収納される。この第一傾動部４Ａ及び第二傾動部４Ｂは、第一傾動部４Ａと第二傾動部４Ｂの連結部分に連結端８を設けている。連結端８は、互いに傾動自在であって長手方向に移動自在に連結される。図１０の第一傾動部４Ａ及び第二傾動部４Ｂは、一方の連結端８に連結凸部１０を設けて、他方の連結端８には連結凸部１０を案内するスリット１１を他方に設けている。連結凸部１０がスリット１１に案内されて、一対の連結端８は、連結端８を長手方向に移動自在に連結している。
【００４５】
さらに、各々の第一傾動部４Ａ及び第二傾動部４Ｂは、同一のてこ比となるように中間の第一傾動軸９Ａ、第二傾動軸９Ｂをそれぞれ支点として傾動自在にケース１に連結されて、支点である第一傾動軸９Ａ、第二傾動軸９Ｂと連結端８との間に第一突出端子３Ａ及び第二突出端子３Ｂの端子部３ａを配設している。図１１、図７の第一傾動部４Ａ、第二傾動部４Ｂはそれぞれ、第一傾動部４Ａ及び第二傾動部４Ｂほぼ中央に円柱状の第一傾動軸９Ａ、第二傾動軸９Ｂを設けている。第一傾動軸９Ａ、第二傾動軸９Ｂは、第一傾動部４Ａ及び第二傾動部４Ｂの両側に突出して設けられる。第一傾動部４Ａ及び第二傾動部４Ｂこの第一傾動部４Ａ及び第二傾動部４Ｂは、第一傾動軸９Ａ、第二傾動軸９Ｂを支点として傾動する。第一傾動部４Ａ及び第二傾動部４Ｂは、図１０に示すように、連結端８を連結して互いに連動して傾動する。このとき、第一傾動部４Ａ及び第二傾動部４Ｂの連結端８は長手方向に相対移動する。したがって、図の第一傾動部４Ａ及び第二傾動部４Ｂは、連結端８に設けているスリット１１を長手方向に伸びるようにして、スリット１１内に連結凸部１０を移動させる。連結凸部１０の外径はスリット１１の幅にほぼ等しく、正確にはスリット１１の幅よりもわずかに小さく、連結凸部１０はスリット１１の内部をスムーズに移動する。
【００４６】
装着部２に電気機器２０が装着されない状態では、スライド部１６の突出部７を装着部２に突出させる。図１２〜図１５に示すように、スライド部１６は、突出部７を装着部２に突出させる。また傾動部は、傾動スプリング１４で逆に第一突出端子３Ａ及び第二突出端子３Ｂが装着部２に突出しないよう、収納状態に付勢する。傾動スプリング１４はコイルバネで、コイル状に巻いたコイル部を第一傾動軸９Ａ、第二傾動軸９Ｂに挿通して、一方の端部をケース１に、他方の端部を第一傾動部４Ａ及び第二傾動部４Ｂに連結して、第一突出端子３Ａ及び第二突出端子３Ｂを端子窓５の内部に収納させている。なお傾動スプリングの端縁を延長して、第一突出端子、第二突出端子として利用することも可能である。
【００４７】
一方、スライド部１６は突出部７が電気機器２０に押し込まれることによって、図１３の状態から図１５に示すように移動され、スライド端１６ａでもって第一傾動部４Ａの傾動端１７が押圧される。この結果、第一傾動部４Ａは、スライド端１６ａによって押し込まれる状態で、第一突出端子３Ａ及び第二突出端子３Ｂの端子部３ａを弾性的に装着部２に突出させる。突出する端子部３ａは、電気機器２０の充電端子２１に弾性的に押圧されて、電気接続される。
（第一突出端子３Ａ及び第二突出端子３Ｂ）
【００４８】
第一突出端子３Ａ及び第二突出端子３Ｂは、導電性を有しかつ弾性を備える金属線からなるコイルスプリングであり、一端を第一傾動部４Ａ及び第二傾動部４Ｂに連結して、他端を山形に折曲加工して端子部４Ａとしている。第一突出端子３Ａ及び第二突出端子３Ｂは、螺旋状に巻いたコイル部を第一傾動部４Ａ及び第二傾動部４Ｂの第一傾動軸９Ａ、第二傾動軸９Ｂに挿入して、第一傾動部４Ａ及び第二傾動部４Ｂに連結している。図８、図９の第一傾動部４Ａ及び第二傾動部４Ｂは、両側に第一傾動軸９Ａ、第二傾動軸９Ｂを突出させているが、一方の傾動軸９には傾動スプリング１４のコイル部を、他方の傾動軸９には第一突出端子３Ａ及び第二突出端子３Ｂのコイル部を挿入して、傾動スプリング１４と第一突出端子３Ａ及び第二突出端子３Ｂを連結している。さらに、第一突出端子３Ａ及び第二突出端子３Ｂは、山形に折曲加工している端子部３ａとコイル部との中間部を第一傾動部４Ａ及び第二傾動部４Ｂに設けた上端を閉塞するガイド溝に案内している。第一突出端子３Ａ及び第二突出端子３Ｂは、端子部３ａを端子窓５から突出するように、第一傾動部４Ａ及び第二傾動部４Ｂに連結している。ガイド溝は、ここに第一突出端子３Ａ及び第二突出端子３Ｂの中間部を案内して、端子部３ａの突出量を特定する。第一突出端子３Ａ及び第二突出端子３Ｂの中間部は、ガイド溝に沿って下方には移動できる。したがって、端子部３ａが電気機器２０の充電端子２１に押圧されて押し下げられるとき、第一突出端子３Ａ及び第二突出端子３Ｂの中間部はガイド溝に沿って降下する。この構造は、端子部３ａを確実に充電端子２１に押圧できる。
【００４９】
一対の端子部３ａは、装着部２に突出するときに、互いに離れる方向に相対運動して、電気機器２０の充電端子２１に押圧されて、接触部をセルフクリーニングする。山形に折曲加工している端子部３ａは、山形の折曲加工部を第一傾動部４Ａ及び第二傾動部４Ｂの長手方向を含む面内に位置させる。この端子部３ａは、充電端子２１に押しつけられる状態で、図１１の矢印Ａで示すように、折曲面を含む面内に相対移動して、接触部をセルフクリーニングする。
【００５０】
以上の充電台１００は、装着部２に電気機器２０が装着されない状態では、スライド部１６の突出部７が装着部２に突出されて、第一傾動部４Ａ及び第二傾動部４Ｂが第一突出端子３Ａ及び第二突出端子３Ｂの端子部３ａをケース１内の引き込み位置とする。装着部２に電気機器２０が装着されて、スライド部１６第一傾動部４Ａ及び第二傾動部４Ｂの突出部７が押し込まれると、係止フック１２でセット位置に保持される。この状態で、第一傾動部４Ａ及び第二傾動部４Ｂが傾動して、第一突出端子３Ａ及び第二突出端子３Ｂの端子部３ａを電気機器２０の充電端子２１に接触するようにケース１の装着部２に突出させる。端子部３ａが充電端子２１に接触する状態で、第一突出端子３Ａ及び第二突出端子３Ｂから電気機器２０に電力が供給されて、電気機器２０の電池が充電される。
【産業上の利用可能性】
【００５１】
本発明に係る充電台は、携帯電話や携帯音楽プレーヤ、デジタルカメラなどの充電器として好適に利用できる。
【符号の説明】
【００５２】
１００…充電台
１…ケース；１Ａ…上ケース；１Ｂ…下ケース
２…装着部
３Ａ…第一突出端子；３Ｂ…第二突出端子；３ａ…端子部
４…傾動体；４Ａ…第一傾動部；４Ｂ…第二傾動部；
５…端子窓
６…貫通孔
７…突出部
７ａ…傾斜面
８…連結端
９…傾動軸；９Ａ…第一傾動軸；９Ｂ…第二傾動軸
１０…連結凸部
１１…スリット
１２…係止フック；１２ａ…引掛部
１３…押出バネ
１４…傾動スプリング；
１６…スライド部
１６ａ…スライド端
１７…傾動端
２０…電気機器
２１…充電端子
２２…係止凹部
２３…誤挿入防止リブ
２４…短辺側周壁
２５…第二短辺側周壁
２６…長辺側周壁
２７…リード線
２８…回路基板
２９…コネクタ差し込み口
３０…装着検知部
３１…ケース
３２…装着部
３３…スプリング線；３３Ａ…出力端子部
３４…傾動体
３５…端子窓
３６…貫通孔
３７…突出部
４０…電気機器
４１…充電端子
４２…装着部
４３…スプリング線
４４…傾動体
４５…ケース
４６…電気機器
４７…突出部
４８…連結端
５３…スプリング線
５４…傾動体
５５…シーソー片
５７…突出部
ＡＣ…ＡＣアダプタ
【図１】
2012055122.tif 000003
【図２】
2012055122.tif 000004
【図３】
2012055122.tif 000005
【図４】
2012055122.tif 000006
【図５】
2012055122.tif 000007
【図６】
2012055122.tif 000008
【図７】
2012055122.tif 000009
【図８】
2012055122.tif 000010
【図９】
2012055122.tif 000011
【図１０】
2012055122.tif 000012
【図１１】
2012055122.tif 000013
【図１２】
2012055122.tif 000014
【図１３】
2012055122.tif 000015
【図１４】
2012055122.tif 000016
【図１５】
2012055122.tif 000017
【図１６】
2012055122.tif 000018
【図１７】
2012055122.tif 000019
【図１８】
2012055122.tif 000020
【図１９】
2012055122.tif 000021
【図２０】
2012055122.tif 000022
【図２１】
2012055122.tif 000023
【図２２】
2012055122.tif 000024